Podtech/llm-jp-corpus-v4-ja_patent huggingface dataset:
(57)【要約】      （修正有）【課題】工事用骨材の洗浄機に関し、１）工事用骨材の完全に近い洗浄、及び、海砂の塩分除去、２）騒音の低減、３）水、電力の少消費化による省エネルギー化の実現、４）微細粒子の流失防止等を図る。【解決手段】超音波振動機１により傾斜振動槽３に滑り落ちた骨材はベルトコンベアー４によって搬出する。また、工事用骨材に付着していた有機物、泥、塵等を超音波振動により水中に浮遊させ、水流で注水桶７により排水桶８へ排出することにより付着物の少ない工事用骨材が得られる。【選択図】図６
2005205390.tif 000002
【特許請求の範囲】
【請求項１】
工事用骨材を超音波により洗浄し微細粒砂まで回収し使用可能にするもの
【発明の詳細な説明】
【発明の詳細な説明】
当発明は過去の大量の水、電力、騒音と、有効使用可能な微細粒砂などが大量の水流によって流失していた無駄を除くとともに、洗浄水の少量化と、超音波発生用の電力のみの省エネ化を目指したものである。
（第１図）の振動機の数を増やし（第３図）の傾斜洗浄槽の延長を計れば、海砂の塩分除去をすることができる。
又、産業廃棄物として廃棄処分している、プレス脱水処理後の泥を各砕石場より集荷し、選別した微細粒砂を販売すれば、産廃処理業としても成り立つ。
超音波振動機（第１図）により傾斜形振動槽（第３図）を滑り落ちた骨材はベルトコンベアー（第４図）によって搬出される。
超音波振動機（第１図）により付着した有機物及び、泥は水中に浮遊し、本機（第６図）の注水樋（図中７）より、排水樋（図中８）へ排出される。
この洗浄機により洗われた骨材は、不着物が非常に少なく奇麗な製品となり、セメントとの親和性をまし、膠着力を向上させ強度の増強を計ることができる。
又、微細粒砂を含むため、仕上りが奇麗であり、不純物で生ずるレイタンスも押さえることができ、それを除去する作業も排除し作業効率をも向上させる。
【図面の簡単な説明】
【図１】超音波振動機である  （Ａ）  上面図  （Ｂ）  側面図  （Ｃ）  正面図（旦し上面は左方である）  注  （第１図）より（第５図）まで上記に同じため以下省略
【図２】洗浄材投入ホッパーである
【図３】傾斜型振動槽である
【図４】ベルトコンベアーである
【図５】外部本体である
【図６】第５図の中に第１図より第４図を組み立てた図面である
【符号の説明】
第１図                        （超音波振動器）
（１）  超音波入力ライン
（２）  超音波振動発生器
（３）  振動発生器取り付け板
（４）  入力端子
第２図                        （洗浄材投入ホッパー）
（１）  材料投入ポッパー本体
（２）  排出口
第３図                        （傾斜型振動槽）
（１）  洗浄振動槽
（２）  中央へ集材する板
（３）  アジャスター
第４図                        （ベルトコンベアー）
（１）  ローラー
（２）  べルト
（３）  テンションローラー
（４）  コンベアー本体フレーム
（５）  取り付けシャフト
第５図                        （外部本体）
（１）  注水口
（２）  注水樋
（３）  排水樋
（４）  排水口
（５）  アジャスター受け
（６）  水位板
（７）  水位調整板および傾斜型振動槽受け
（８）  外部本体
第６図                        （各部を組込んだ側面透視図）
（１）  超音波振動器
（２）  洗浄材投入ホッパー
（３）  傾斜型振動槽
（４）  ベルトコンベアー
（５）  本体外部
（６）  水位板
（７）  注水樋
（８）  排水樋
（９）  アジャスター
（１０）  水位
（１１）  水位調整板および傾斜型振動槽受け
【図１】
2005205390.tif 000003
【図２】
2005205390.tif 000004
【図３】
2005205390.tif 000005
【図４】
2005205390.tif 000006
【図５】
2005205390.tif 000007
【図６】
2005205390.tif 000008
(57)【要約】      （修正有）【課題】従来は背中がかゆい時等手が届かない所への鎮静剤の塗布が困難であった為、これを解消する手段を提供する。【解決手段】棒状の柄の両端部分に二通りの大きさの穴を開けて市販の太さの違う鎖静剤等の容器を差し込んで取り付け可能にし、塗布剤が塗れるようになった。また、一端には切り込みを設け、市販の軟膏等を乗せることにより、塗り薬も塗布出来るようにした。【選択図】図１
2005205131.tif 000002
【特許請求の範囲】
【請求項１】
棒状の柄の先に二つの穴を開けて市販の太さの違う鎮静剤等の容器を取り付け可能にし塗り薬も塗布出来るようにした物である
【発明の詳細な説明】
【技術分野】
【０００１】この発明は棒状の柄の端部に穴を開けて市販の複数の太さの鎮静剤容器を取り付け可能にし塗り薬も塗布出来るようにしたものである
［背景技術］【０００２】従来塗布剤は自分の手で塗布していたが届かない所があり非常に不便であった
［発明の開示］
［発明が解決しょうとする課題）【０００３】これは次のような問題点があった
自分の背中がかゆい時鎮静剤を塗ろうとしても手が届かず第三者等に頼ったり柱等にこすっていた
本発明は以上のような欠点をなくすためになされたものである【０００４】板状の物に市販の塗布剤容器を取り付け可能にし塗り薬も塗布出来る以上の構成よりなる物である
［発明の効果］【０００５】ひとり住まいの者でもこれがあれば手の届かない背中のかゆみでも市販の鎮静剤等の塗布剤が塗れて便利である
【図面の簡単な説明】
【０００６】図１は本発明の斜視図である  その図の中のＡとＢは市販の鎮静剤等の容器を差し込む穴である  Ａの内径は３０ミリ／４５ミリでありＢの穴の方は
2005205131.tif 000003
Ｂの穴は市販の細身の鎮静剤容器でも差し込み可能である
図面２は側面図であり  ＡとＢは市販鎖静剤容器の差し込み口である
2005205131.tif 000004
Ｃの切り込みは市販の軟膏等をここに乗せて背中に塗りつけるためのものである
図面３はＦの方向から見たものである市販の容器類を安定させるにほどよい厚みにしたものである
【図１】
2005205131.tif 000005
【図２】
2005205131.tif 000006
【図３】
2005205131.tif 000007
(57)【要約】      （修正有）【課題】身体の不自由な人、老齢者、成人の中途障害を持つ人など、個人の特性に合わせて、身体に近い位置に構成された副取っ手を使い分けて用いることで、身体の負担を抑えた体位で排泄の自立のできる男性用尿器を提供する。【解決手段】尿器と身体までの短縮を図り、尿器本体の主取っ手３の近接部に円形状の支点４を設け、その支点により左右に移動するように尿器本体の主取っ手に対し、横切るように、ほぼ直角に副取っ手５を備えた男性用尿器１。【選択図】図１
2005205138.tif 000002
【特許請求の範囲】
【請求項１】
尿器本体の主取っ手に対し、横切るように、ほぼ直角に副取っ手を備え、その副取っ手が左右に移動するように、本体主取っ手に円形状に形成した支点を設けたことを特徴とする男性用尿器。
【発明の詳細な説明】
【技術分野】
【０００１】  本発明は、排泄の自立動作を目的とする男性用尿器に関するものである。
【背景技術】
【０００２】  図４で示すように、従来の男性用尿器は本体１、受尿口２、取っ手３の構成でなされていた。【０００３】  また、手持ち式便尿器がある。これは使用者が排泄後、便尿器の受け口から尿貯留部に至る過程の排出ホースが、寝衣にもつれて床を汚染するなどの問題点があり医療機関において使用頻度は少ない。
【特許文献１】特開平０８−３２２８６９号公報
【特許文献２】特開２００１−３５３１８９号公報
【０００４】  医療機関においては、将来自宅療養に向けての準備期間でもあり、排泄の自立が促されている。夜間のふらつき、転倒を防止しその安全を図るため、寝具上での排泄動作を行うことが多い。一方、病気、その他のさまざまな要因により、利き手にまひなどの障害が生じ、これまで習慣であった利き手の動作に制限をうけ、日常生活を送る上で多くの不利を持つ人など、個人差はあるものの、身体の構造や働きが低下することもあり、慣れない手を用いて排泄の動作を行う際、従来の尿器の取っ手は、手を伸ばしても届きにくい位置であるために、寝返りを打ち、体位変換を行うなど身体に負担のかかるものであった。【０００５】  従来の男性用尿器の取っ手は、介護者が排泄の準備及び処理目的のためになされたものであり、身体の不自由な人、また、老齢者は筋力低下も伴って排泄の際、自力で寝返りを打つ体位変換動作など、身体の調節を行い、その状態を維持することは容易でなく、排泄後の尿器の傾きにより、寝衣を汚染したりすることから介護者へ援助の依頼をするなど、精神的な負担も大きかったことである。
【発明の開示】
【発明が解決しようとする課題】
【０００６】  身体の不自由な人、また、老齢者は自力で移動できない人も多く、成人の中途障害により、まひなどがあり、日常生活を送る上で多くの不利を持つ人は、さらに、尿器の取っ手は届きにくい位置にある構成であることによる。身体の負担を抑え、排泄の自立のできる尿器を実現することを目的とするものである。
【課題を解決するための手段】
【０００７】  本発明は、尿器の取っ手の位置と身体までの距離の短縮を図り、取っ手が左右に移動するように、いずれかを選択する補助具となる副取っ手を設け、排泄時の負担を抑えることを最も主要な特徴とする。
【発明の効果】
【０００８】  本発明の男性用尿器の副取っ手は、身体の不自由な人、老齢者、成人の中途障害を持つ人など、個人の特性に合わせて、左右の選択のできる補助具である副取っ手を用いることで、有効的に残存機能を活用し、排泄の自立をすることができるという利点がある。
【発明を実施するための最良の形態】
【０００９】  使用者は、身体から可能な限り近い位置から、補助具である副取っ手を用いることで、身体の負担を抑えた体位で排泄の自立動作をするという目的を実現した。
【実施例】
【００１０】  図１において、１は男性用尿器本体で、受尿口２、主取っ手３、副取っ手５が左右に移動し回転する支点４は、円形状に形成されており、主取っ手３の近接した上部に設け、主取っ手３に固着されている。その主取っ手３に対し、横切るように、ほぼ直角に設けられた副取っ手５は抜け落ち防止部材６により脱着自在であり、洗浄しやすく衛生的である。【００１１】  副取っ手５を主取っ手３の近接部に設けたことにより、身体から取っ手までの距離が短縮し、届きやすくなり、左右に移動することでいずれかを選択し使い分けることができる。【００１２】  排泄実施の際、寝具上において尿器本体１と寝具は平行な状態にあり、排泄実施後は、主取っ手３に固着されている支点４に設けられた、本発明の副取っ手５を持ち上げるが、このとき、受尿口２は副取っ手５よりも上方へ向き、尿器本体１は副取っ手５よりも下方へ反回転しながら下がる。これにより、身体の不自由な人、老齢者、成人の中途障害を持つ人など、排泄前から排泄後まで副取っ手５を持ち、その状態を維持しながら、腕を左右に移動することで、体位変換を行なうことなく、寝具外へ身体の負担を抑えた体位で尿器を移動することが容易になる。【００１３】  図２において、副取っ手５は左右いずれにも移動するので、左手の不自由な人は、右手で使用する場合、副取っ手５を主取っ手３よりも右へ移動させて、右手健側で排泄実施するものである。【００１４】  図３において、右手の不自由な人は、左手で使用する場合、左手で副取っ手５を主取っ手３よりも左へ移動させて左手健側で排泄実施するものである。従って、自力で体位変換を行なうことができない人など、身体から可能な限り近い位置から、取っ手の位置を選択することができ、左右の位置を決め、確認し、補助具である副取っ手５を使い分けて用いることで身体の負担を抑えることができる。以上のように、本実施例によれば排泄の自立動作の効果が得られる。
【産業上の利用可能性】
【００１５】  これからの高齢者社会において、病院、在宅介護での利用に適している。
【図面の簡単な説明】
【００１６】
【図１】本発明の一実施例を示す男性用尿器の斜視図である。
【図２】男性用尿器の、右手健側での使用方法を示す平面図である。
【図３】男性用尿器の、左手健側での使用方法を示す平面図である。
【図４】従来の男性用尿器の斜視図である。
【符号の説明】
【００１７】１  男性用尿器本体
２  受尿口
３  主取っ手
４  円形状支点
５  副取っ手
６  抜け落ち防止部材
【図１】
2005205138.tif 000003
【図２】
2005205138.tif 000004
【図３】
2005205138.tif 000005
【図４】
2005205138.tif 000006
(57)【要約】【課題】  従来の介護用おむつに用いるパッドは、時に汚物が外漏れする欠点があった。漏れ防止機能を万全にしたパッドの提供が、本発明の課題である。【解決手段】  パッドの形状を、本体（１）および肌当接面（２）が一体となって空洞を形成し、肌当接面（２）の中央部に開口部（３）が設けられた構造とし、開口部（３）の辺縁全周に汚物の逆流を防止する接着テープＡ（４）を、またパッド前後端にこれを固定する接着テープＢ（５）を備える。【選択図】  図１
2005205118.tif 000002
【特許請求の範囲】
【請求項１】
本体（１）と肌当接面（２）を一体構造として汚物を収納する空洞を作ると共に、肌当接面（２）の中央部には開口部（３）を設け、開口部（３）の辺縁全周及びパッド前後端に、ピールアウエイ式カバー付き防水性接着テープＡ（４）及びＢ（５）を備えた、介護用おむつに用いる袋タイプのパッド。
【発明の詳細な説明】
【技術分野】
【０００１】  本発明は、介護用おむつに用いるパッドの形状および機能に関するものである。
【背景技術】
【０００２】  従来の介護用おむつに用いるパッドは基本的には一枚構造で、主として吸水性素材とサイドフラップによって外漏れに対処すべく意図されている。使い捨ておむつに局所的に膨らみを設けて汚物溜めとし、身体の汚れを防ぐ考案がある（特許文献１参照）が、外漏れ防止能に関しては不安を残す。
【特許文献１】特開平９−３０８６４４号公報
【発明の開示】
【発明が解決しようとする課題】
【０００３】  従来のパッドは、下剤適用後の大量の液状便排出時などに、自然に、または体動や身体による加重によって汚物が外漏れし、おむつカバーのみならず、寝巻、シーツまで汚してしまう欠点がある。本発明は、この問題点を解決し、便の量や性状、排泄速度、体動、加重等にかかわらず、これが外漏れしない構造のパッドを提供することを課題とした。
【課題を解決するための手段】
【０００４】  汚物が、パッドの肌当接面（２）に設けた、外陰部および肛門を囲い込む開口部（３）から本体（１）に流入し、空洞の内部で拡散すると共に吸収されるようにする。汚物の逆流は、開口部（３）の辺縁全周に設けられた、防水性のピールアウエイ式カバー付き接着テープＡ（４）によって阻止されるようにする。また肌当接面（２）の前後端には、パッドを皮膚に固定するための接着テープＢ（５）を備える。本体（１）は非透水性と共に、内面は吸水性、拡散性に優れた素材、形状とする。肌当接面（２）にも非透水性と共に、両面に適度の吸水性を持たせる。
本発明は、以上の構成よりなる介護用おむつに用いる外漏れしない袋タイプのパッドである。
【発明の効果】
【０００５】  汚物を袋状構造内でのみ拡散させ、外漏れを防止し得る。身体の汚染範囲を最小限にし、衣服や寝具が汚れないので、介護者の後始末に関連した手間を減らすことができる。
【発明を実施するための最良の形態】
【０００６】  以下、本発明の実施の形態を説明する。
（イ）パッドの構成は、本体（１）と肌当接面（２）の一体構造で、汚物が収納される        空洞を形成する。
（ロ）パッドには、優れた吸水性、非透水性、開口部以外での気密性等を持たせる。
（ハ）肌当接面（２）の中央部には、外陰部と肛門を囲い込む開口部（３）を設ける。
（ニ）開口部（３）の辺縁全周に、汚物の逆流を防ぐ接着テープＡ（４）を備える。パ        ッド装着に際しては、先ず接着テープＡ（４）の皮膚への圧着を行うが、その際        、開口部（３）の辺縁が外陰部と肛門に掛からず、これらを確実に囲い込むよう        留意する。
（ホ）肌当接面（２）の長軸方向の両端に、パッドを皮膚に固定するための接着テープ        Ｂ（５）を備える。パッドの皮膚への固定は、パッド装着手順の最後に行う。
【実施例】
【０００７】  本発明を使用する場合は、開口部の位置決めと、接着テープの皮膚への接着順を正しく、また圧着を確実にするよう留意する。
【産業上の利用可能性】
【０００８】  超高齢化社会を迎え、介護を要する人口は今後増加の一途を辿ると予想される。排泄ケアは介護上の大きな課題の１つで、本発明は排泄関連用品の改良を通じて介護者の労苦を減らす社会的要請に沿ったもので、介護関連産業において利用され得ると思われる。
【図面の簡単な説明】
【０００９】
【図１】本発明の斜視図である。
【図２】本発明の中央部での縦断図である。
【図３】本発明の中央部での横断図である。
【図４】本発明の使用状態を示した人体正面図である。
【符号の説明】
【００１０】  １  本体
２  肌当接面
３  開口部
４  接着テープＡ
５  接着テープＢ
【図１】
2005205118.tif 000003
【図２】
2005205118.tif 000004
【図３】
2005205118.tif 000005
【図４】
2005205118.tif 000006
(57)【要約】【課題】荷物やペット等を運ぶのに用いる鞄の形状は、中が汚れても洗濯機にて丸洗いすることができず、汚れを落としにくかった。また洗濯機にてあらったとしても、芯や皮を使って形状されているため、型崩れや鞄の痛みがひどくなった。さらに本体に芯を使わず形状されていたバッグは、洗えることが可能だとしても形が整いにくくペット等を運ぶにはバランスが悪く持ちづらかった。【解決手段】バッグ本体１のスペース２に取り付け取り外し可能な新たな袋３を設ける。袋３は洗濯機にて丸洗いできる素材や材料から形成されているものである。そのため清潔に保つことができ、バランスよく持ち運べ、ペットも快適に過ごすことができる。【選択図】図１
2005205113.tif 000002
【特許請求の範囲】
【請求項１】
バッグ本体のスペースの中に納まる、取り外し取り付け可能な袋を新たに設けたことにより、バランスも保たれたまま、清潔かつペットが快適に過ごせることを特徴とするペット用キャリーバッグ。
【請求項２】
前記の本体バッグの中に納まる袋は、芯など使わず洗濯機にて丸洗いできる素材や材料にて形成されていることを特徴とする請求項１記載のペット用キャリーバッグ。
【発明の詳細な説明】
【技術分野】
【０００１】  この発明は、ペット等を運ぶために用いるバッグの形状に関する。
【背景技術】
【０００２】  従来のペット等を持ち運ぶ為に用いるバッグの形状は、図３に示すように、胴、マチ、底、手紐、裏地を縫い合わせ構成されたものである。
【発明の開示】
【発明が解決しようとする課題】
【０００３】しかしながら、以上の技術によれば、ペット等の毛や泥、汚物等の汚れがついても、バッグが芯や底板などを使った形状であるため洗濯機では洗えず、仮に洗ったとしても形崩れをおこしてしまった。
そこで、この発明は、洗濯機にて丸洗いができるため、簡潔に清潔さを保て、バッグの型崩れを防ぎ、バランスよく保てペットも快適に過ごすことが出来るペット用キャリーバッグを提供することを課題とする。
【課題を解決するための手段】
【０００４】  以上の課題を解決するために、第一発明は、バッグ本体の中のスペースの中に納まる取り外し取り付け可能な新たな袋を設けたことを特徴とするペット用キャリーバッグである。
また、第二発明は、バッグ本体の中のスペースに納まる取り外し取り付け可能な新たな袋を設け、この袋は、芯を使わず洗濯機にて洗える素材や材料にて形状された袋であることを特徴とするペット用キャリーバッグである。
【発明の効果】
【０００５】  第一発明、または第二発明によれば、図１に示すようにバッグの本体の中のスペースに納まり、本体に取り外し取り付け可能で、洗濯機にて丸洗いできる素材や材料で形成された袋を新たに設けたため、バランスよく持ち運べ清潔さを保つことができ、ペットが快適に過ごすことができる。
【発明を実施するための最良の形態】
【０００６】  この発明の一実施形態を、図２に示す。
バッグの本体１は布、綿、皮、ビニール、合皮、ナイロンなど全ての鞄に使用されている製品からなりたっているものであり、荷物等を入れられるスペース２が設けられている。このスペース２に納まることのできる袋３は、洗濯機にて丸洗いできる素材や材料から形成されている。袋３は、本体１に設けられているスペース２に取り付け取り外しするための、フォック４が本体１、袋３にそれぞれ設けられている。【０００７】「実施形態の効果」
この実施形態によれば、本体１と袋３がフォック４により取り付け取り外し可能になった。この動作から袋３が洗濯機にても丸洗いできる素材や材料から形成されている働きが活用され、袋３がペットなどの毛や泥、汚物等で汚れた場合でも鞄の中を清潔に保つことができる。ペットにとっても、清潔に保つことができるため、快適に過ごすことができる。また、バッグ本体を形状するに使われている芯や底板により支えられているため、バランスよくペット等を持ち運ぶことができる。【０００８】「他の実施形態」
図２の実施形態では、スペース２に袋３を取り付け取り外しするために袋３と本体１へそれぞれにフォック４が設けられたが、他の実施携帯では、ファスナーをそれぞれに設けたものでも良い。
【図面の簡単な説明】
【０００９】
【図１】この発明の一実施形態を示す斜視図である。
【図２】この発明の一実施形態を示す斜視図である。
【図３】従来技術を示す斜視図である。
【符号の説明】
【００１０】      １  鞄本体          ２  収納スペース        ３  袋
４  フォック        ５  ファスナー
【図１】
2005205113.tif 000003
【図２】
2005205113.tif 000004
【図３】
2005205113.tif 000005
(57)【要約】【課題】任意の目標に対して正確に練習器具を方向付けでき、その方向に対してパターを正確に真っ直ぐ振る矯正練習ができるもので、どのようなパターにでも対応できるパター練習器を提供するものである。パターには装着物がないので、実際の振る感覚で練習できるものである。【解決手段】器具をレーザー光５により正確に方向に向け、レーザー光５と平行に並んだ角材１、２の間をパターヘッドを動かすことにより正確に方向に対して真っ直ぐなストロークの練習ができるものである。角材１，２は案内板２ａにより間隔ａの調整ができ、色々なパターヘッドの大きさに対応する事ができる。【選択図】図１
2005205116.tif 000002
【特許請求の範囲】
【請求項１】
平行に並ぶべく平板２ａにより固定された軽量の角材１、２の間ａでゴルフのパター４を打ちたい方向にまっすぐ振る練習器具。
【請求項２】
角材１、２と平行に設置されたレーザー光５を目標板６又は目標物に当て、パターの打ちたい方向に対して正確に練習器具を方向付けすることが容易にできるパター練習器具。
【請求項３】
色々な大きさのパターヘッド４ａ、４ｂ又は、プレーヤーの技量に対応するべく、角材１、２を平行に移動でき固定する平板２ａを設けた請求項１及び請求項２に記載のパター練習器具。
【発明の詳細な説明】
【技術分野】
【０００１】本発明はパターを真っ直ぐ振ることを習得するためのゴルフ練習器である
【背景技術】
【０００２】従来ガイドレール等を平行に使いレールに沿ってパターヘッドを振る練習器具がある。（特公平７−８７８６９、特願平９−３３３４４７、特開平６−１２６０１０）これはパターにスライド器具を取り付け、実際のパターを振るより抵抗があり、実際ボールをヒットする距離感を狂わせてしまう恐れがある。又これは大がかりな装置が必要であり、コースの練習グリーン等の現場に簡単に移動し、任意の方向に正確に方向付けできるものではない。又、コースで使用しているパターでの練習が必要だが、使用パターに対応できないものもある。
【発明の開示】
【発明が解決しようとする課題】
【０００３】コースの練習グリーン等あらゆる場所で簡単に移動できる。どのようなパターにも対応できる。パターを目標に対して真っ直ぐ振れているかどうかが明確に確認できる。パターに何も取り付けないので、コースで振る感覚と同じに練習できる。目標に正確に練習器具を方向付けできる。
【課題を解決するための手段】
【０００４】パターヘッド４を打ちたい方向に直角に振れる間隔ａを持ち、平行に並ぶべく案内板２ａで固定された３０ｃｍ〜６０ｃｍほどの長さで、３ｃｍ角ほどの軽量の角材（内側の面の高さが３ｃｍほどであれば、断面は三角でも四角でも良い）１、２に当たらない様ゴルフのパターを振る練習器具である。
角材１、２に平行に設置されたレーザー光５を目標に当て、パターの打ちたい方向に対して正確に練習器具を方向付けすることが容易にできるパター練習器具。色々な大きさのパターヘッド４ａ、４ｂに対応するべく軽量の角材１、２を平行に移動し固定する案内板２ａをパターのスウィングのじゃまにならない後方に設けている。
【発明の効果】
【０００５】コースでも芝の上からこのパター練習器具を使って打つことができる。パターには何も取り付けないので実際に振る感覚との違いは無い。
大がかりな装置が無いので軽量であり、移動が簡単で、どのようなパターもすぐ使用できる。パターが真っ直ぐ引けて真っ直ぐ方向に出せているか確認が容易である。その人の技量（初心者か上級者か）により角材１，２の間隔寸法ａを広くしたり、狭くしたり設定できるものである。
パターのみならず２０〜３０ヤードまでのアプローチ（ピッチエンドラン、ランニング）の練習において、真っ直ぐヘッドが振れているかどうかの確認もできる。
【発明を実施するための最良の形態】
【０００６】軽量の角材（樹脂、アルミ等）２本１、２をボールの打ち出す方向の後方に設置した案内板２ａにより平行移動させ固定できるパター練習器具である。角材１、２にを平行かつボール７のセット位置に設置されたレーザーポインター２ｂのレーザー光５を目標６又は目標物に当てる事により正確に打ちたい方向に平行に角材１、２を設置できるものである。案内板２ａ及びレーザーポインター２ｂは一体で、図３で示すようにパター４のストロークに当たらない後方に設置するものとする。
レーザーポインター２ｂは、２ｂに内蔵された電池を電源とし、ボタン２ｃで作動する軽量のものである。
【実施例】
【０００７】角材１、２の間隔寸法ａを固定する方法として、図４の様に角材２と一体の案内板２ａに平行なスリット穴２ｃを数箇所あける。角材１には案内板２ａが通る穴１ａを角材１と角材２が平行に移動できるよう貫通するものとする。
角材１にも１箇所スリット穴２ｃと同形状のスリット穴１ｂをあけ、取手７ａと薄板７ｂからなる抜け止め７が角材１と平板２ａを最適なａ寸法を選び固定する事が出来る。その他ボルトやビスで固定する方法も考えられるが、上記の方法が簡単に道具を使わずにできるものである。
【産業上の利用可能性】
【図面の簡単な説明】
【０００８】
【図１】ゴルフ練習器具の概略図
【図２】レーザーポインター目標照射図２−２
【図３】ゴルフ練習器具の概略断面図３−３
【図４】平行幅調整式ゴルフ練習器具の概略図
【図５】角材固定方法の概略断面図５−５
【図６】角材固定方法の概略断面図６−６
【符号の説明】
【０００９】    １角材
２角材
２ａ案内板
２ｂレーザーポインター
２ｃボタン
３ボール
４パター
５レーザー光
６目標版
７抜け止め
【図１】
2005205116.tif 000003
【図２】
2005205116.tif 000004
【図３】
2005205116.tif 000005
【図４】
2005205116.tif 000006
【図５】
2005205116.tif 000007
【図６】
2005205116.tif 000008
(57)【要約】【課題】  人間の病気の原因に、骨格の歪みがあり、カイロプラクティック、整体等は、骨格の歪みを重視し、骨格の高低及び可動域を確認することが施術に重要である。  しかし、骨格の歪みは微妙であり、手指で骨格に接触し視覚により骨格の高低及び可動域を確認することは非常に難しく、経験を要することから、誰もが正確に検査出来るようにする。【解決手段】  人間の体は凹凸であり、骨格の高低及び可動域を確認するのに通常の水平器では確認することが出来ない。  よって、水平器２を取り付けた水平棒１にスライドする同じ長さの押棒３を対で直角に取り付け、幅の違う検査部位に対しても自由に調整出来る様にし、骨格高低検査の必要な骨格部に押棒３をスライドさせて当て、水平器２を確認して骨格高低を検査し、且つ、骨格可動域検査の必要な骨格部に押棒３を当て、左右交互に押棒３を押し、水平器２を確認して骨格の左右の可動域を検査する。【選択図】  図１
2005205128.tif 000002
【特許請求の範囲】
【請求項１】
水平器を取り付けた水平棒にスライドする同じ長さの押棒を対で直角に取り付け、幅の違う検査部位に対しても自由に調整出来る様にし、骨格高低検査の必要な骨格部に押棒をスライドさせて当て、水平器を確認して骨格高低を検査し、且つ、骨格可動域検査の必要な骨格部に押棒を当て、左右交互に押棒を押し、水平器を確認して骨格の左右の可動域を検査する骨格高低可動域簡易検査器である。
【発明の詳細な説明】
【技術分野】
【０００１】  本発明は、骨格の高低及び可動域を検査する為の簡易検査器に関する。
【背景技術】
【０００２】  人間の病気の原因に、骨格の歪みがあり、カイロプラクティック、整体等は、骨格の歪みを重視し、骨格の高低及び可動域を確認することが、施術に重要なポイントになっており、手指で骨格に接触し視覚により確認している。
【発明の開示】
【発明が解決しようとする課題】
【０００３】  カイロプラクティック、整体等は、骨格の歪みを重視し、骨格の高低及び可動域を確認することが施術に重要であるが、骨格の歪みは微妙であり、手指で骨格に接触し視覚により骨格の高低及び可動域を確認することは非常に難しい。
【課題を解決するための手段】
【０００４】  人間の体は凹凸であり、骨格の高低及び可動域を確認するのに通常の水平器では確認することが出来ない。
よって、水平器２を取り付けた水平棒１にスライドする同じ長さの押棒３を対で直角に取り付け、幅の違う検査部位に対しても自由に調整出来る様にし、骨格高低検査の必要な骨格部に押棒３をスライドさせて当て、水平器２を確認して骨格高低を検査し、且つ、骨格可動域検査の必要な骨格部に押棒３を当て、左右交互に押棒３を押し、水平器２を確認して骨格の左右の可動域を検査する骨格高低可動域簡易検査器である。
【発明の効果】
【０００５】    日本が高齢化社会を迎える中で、医療部門の仕事に関心が持たれ、カイロプラクティック、整体等の職業に進む者が多く見受けられる。人間の病気の原因に、骨格の歪みがあり、カイロプラクティック、整体等は、骨格の歪みを重視して施術することから、骨格の高低及び可動域を正確に検査することが重要なポイントである。
しかし、骨格の歪みは微妙であり、手指で骨格に接触し視覚により骨格の高低及び可動域を確認することは非常に難しく、かなりの経験を積まなければ習得出来ないものであるが、この骨格高低可動域簡易検査器を使用すれば、経験の少ない者も正確に骨格の高低及び可動域を確認することができ、且つ、経験豊な者にとっても再確認できることから、便利であると共に誤った施術を防止できる。
【図面の簡単な説明】
【０００６】
【図１】      骨格高低可動域簡易検査器正面図
【図２】      骨格高低可動域簡易検査器上面図
【図３】      骨格高低可動域簡易検査器側面図
【符合の説明】
【０００７】      １  水平棒
２  水平器
３  押棒
４  ゴム
【図１】
2005205128.tif 000003
【図２】
2005205128.tif 000004
【図３】
2005205128.tif 000005
(57)【要約】      （修正有）【課題】介護者が一人でも安全且つ簡単に要介護者を入浴させる事が出来、軽量で遮水性に優れ且つ安定性のある組み立て型の携帯型簡易浴槽の提供。【解決手段】  折り畳み防水シートと浴槽部底盤と一体化された側面部装置を組み合わせ、湯水の給水及び排水は浴槽上部より注水機器、排水機器を使用して行う事により軽量、遮水性、安定性のある浴槽を実現する。側面部装置は入浴利用者が浴槽内に移動された後に、折り畳みシートといっしょにセットが出来、浴槽部底盤と入浴板の間に設けられたスペーサによる高低差によって出来る排水の時間差を利用して入浴者を拭き着替えさせ浴槽外に移動させる事が出来る。入浴板、折畳み防水シートを取り外した後、全ての側面部装置を浴槽部底盤より引き抜いて浴槽部底盤とともに収納する。個々の部位がいずれも、介護者一人で持つ事が出来る重さとサイズである為、容易に組み立てる事が出来、安全に入浴行為を行う事が出来る。【選択図】図１０
2005205124.tif 000002
【特許請求の範囲】
【請求項１】
浴槽部底盤に差込穴を設け、複数個の側面部装置を差し込む。その側面部装置に浴槽状に折り畳んだ一枚の防水シートを側面部装置に固定する。
【請求項２】
防水シートを側面部装置に固定した上で、浴槽部底盤との間にクリアランスを設けるスペーサー付の入浴板をセットする。このクリアランスは簡易バスを利用後、入浴者の接する部分から湯水を抜きやすくする為のものである。又、欠きこみ部を設け、排水時用のピットとする。
【発明の詳細な説明】
【発明の明細な説明】
この発明は、大きく分けて、折り畳み防水シート、その防水シートを安全に固定させる複数個の側面部装置、側面部装置を安定させる差込部を設けた浴槽部底盤、利用者が肌を直接接する入浴板の４種の部材を組み合わせて、構成されるものである。ひとつの部材はいずれも女性が一人で持ち、移動可能なサイズ、重さである為、どのような場所でも安全に組立てが可能となり快適な入浴を可能にさせるものである。遮水部分は一枚の防水シートを折り畳むため、漏水の心配がない。又、浴槽立ち上がり部は複数個の側面部装置を浴槽部底盤へ差込む組立て式である為、一面を開放して入浴利用者を引き込んだ後で、セットすることが出来る。浴槽部底盤を、入浴者の都合の良いレベルにセットさえすれば、入浴者を持ち上げる必要はなく、水平方向の小さな体位移動だけで安全に入浴させる事ができる為、介護者の負担を軽減できるものである。排水、給湯は浴槽の大きさ、入浴者の体積等を考慮すると比較的湯量は少ない事もあり、全て上部から注水機器、排水機器を使用して行う。以下はその使用方法である。
（イ）浴槽部底盤を入浴者が利用する上で都合の良い高さにセットする。
（ロ）側面部装置を浴槽部底盤３面に差し込む。
（ハ）折り畳み防水シートを浴槽部底盤にセットし１面を側面部装置に固定する。
（ニ）入浴板をセットする。
（ホ）入浴者を浴槽内に移動させ、移動部分の側面部装置をセットし、他面の防水シートを引き上げ、固定させ、入浴者を脱衣させる。
（ヘ）給湯して入浴を実行する。
（ト）入浴終了後、湯水を排水機器により排水する。入浴板と折り畳み防水シートの間には入浴板下部のスペーサーによって作られる高低差があり、排水時には入浴板上から先に排水される為、入浴板の上から湯が無くなった段階で入浴者の乾燥、着替えを行う。
（チ）移動側の側面部装置を浴槽部底盤よりはずし、防水シートを引き下げて入浴者を浴槽外に移動させる。
（リ）残りの側面部装置から防水シートをはずし、全ての側面部装置をベース盤より抜きとる。
（ヌ）最後に防水シート内に残った少量の湯を排水させ、通常の洗濯物と同様な方法で乾燥させたうえ折り畳んで収納する。
【図面の簡単な説明】
【図１】浴槽部底盤の姿図である。
【図２】側面部装置の姿図である。
【図３】入浴板の姿図である。
【図４】入浴者の移動部を除いた３面の立ち上がり装置をベース盤にセットしたときの斜視図である。
【図５】折り畳み防水シートの平面形状と折った時の斜視図である。
【図６】折り畳み防水シートをセットした時の斜視図である。
【図７】入浴板をセットした時の斜視図である。
【図８】移動部の側面部装置を浴槽部底盤に差込み、防水シートを引き上げて固定した、本発明の完成後の斜視図である。
【図９】湯の注水、排水の概略図である。
【図１０】本発明完成後の斜視図及びＡ−Ａ断面図である。
【符号の説明】
（１）浴槽部底盤  （２）側面部装置
（３）浴槽部底盤の側面部装置差込部
（４）折り畳み防水シート
（５）入浴板  （６）入浴板裏面スペーサー
（７）湯水排水用穴  （８）排水機器及び注水機器
（９）排水ホース及び注水ホース
【図１】
2005205124.tif 000003
【図２】
2005205124.tif 000004
【図３】
2005205124.tif 000005
【図４】
2005205124.tif 000006
【図５】
2005205124.tif 000007
【図６】
2005205124.tif 000008
【図７】
2005205124.tif 000009
【図８】
2005205124.tif 000010
【図９】
2005205124.tif 000011
【図１０】
2005205124.tif 000012
(57)【要約】【課題】    皮膚を傷めることなく手に握り易く、曲面等にも清掃が容易なたわしであり、且つ、ユニークな形状のたわしを提供することである。【解決手段】周囲に帯状の切り込みがなされた方形のウレタンフォーム、不織布積層し、それを渦巻き状に巻き、その中心部を合成樹脂の紐で結束して表面にウレタンフォーム、不織布の切り込み面が環状に表出するようにする。【選択図】  図４
2005205129.tif 000002
【特許請求の範囲】
【請求項１】
台所等で使用される清掃用のたわしであって、１ｍｍ〜２０ｍｍの厚みの周囲に帯状の切り込みがなされた方形のウレタンフォームを渦巻き状に巻き、その中心部を合成樹脂の紐で結束された、表面にウレタンフォームの切り込み面が環状に表出してなることを特徴とするたわし。
【請求項２】
１ｍｍ〜２０ｍｍの厚みの周囲に帯状に切り込みがなされた方形のウレタンフォームと１ｍｍ〜１５ｍｍの厚みの周囲に切り込みがなされた不織布あるいは合成繊維の生地を少なくとも２層以上積層し、それを渦巻き状に巻き、その中心部を合成樹脂の紐で結束された、表面にウレタンフォーム、不織布の切り込み面が環状に表出してなることを特徴とするたわし。
【請求項３】
１ｍｍ〜１５ｍｍの厚みの周囲に帯状に切り込みがなされた方形の不織布を少なくとも２層以上積層し、それを渦巻き状に巻き、その中心部を合成樹脂の紐で結束された、表面に不織布の切り込み面が環状に表出してなることを特徴とするたわし。
【発明の詳細な説明】
【技術分野】
【０００１】  本発明は、キッチンにおける食器類、鍋等の洗浄用として使用されるスポンジたわしに関する。
【技術背景】
【０００２】  キッチンにおける食器類、鍋等の洗浄用に使用されるたわしとして、天然繊維を加工した亀の子タワシタイプ、ナイロン等の合成繊維と研磨粒子を結合した不織布タイプ、不織布とセルローススポンジ又はウレタンスポンジを貼り合わせたタイプ等がある。
【０００３】  前記亀の子たわしは、落としにくい汚れを除去するが硬くて手が傷み易く、又、泡立ちが悪いため洗剤を多く使用しなければならず、曲面とのなじみが悪いので、曲面部や角部分が充分に洗浄されにくいということがある。
【０００４】不織布タイプは、市販されている多くは一般的に方形であり、手で握った時に角張って保持しにくい。
【０００５】不織布とスポンジを貼り合わせたタイプは、不織布とスポンジの収縮率が異なる為、不織布部分が小さくなり、タワシの形状が変形してくるという場合が存在する。
【発明の開示】
【発明が解決しようとする課題】
【０００６】本発明は、前記のたわしの欠点を解決するものであり、皮膚を傷めることなく手に握り易く、曲面等にも清掃が容易なたわしであり、且つ、ユニークな形状のたわしを提供することである。
【課題を解決するための手段】
【０００７】前記目的を解決する為、１ｍｍ〜２０ｍｍの厚みの周囲に帯状に切り込みがなされた方形のウレタンフォームを渦巻き状に巻き、その中心部を合成樹脂の紐で結束し、表面にウレタンフォームの切り込み面が環状に表出するようにする。【０００８】また、１ｍｍ〜２０ｍｍの厚みの周囲に帯状の切り込みがなされた方形のウレタンフォームと１ｍｍ〜１５ｍｍの厚みの周囲に切り込みがなされた不織布を少なくとも２層以上積層し、それを渦巻き状に巻き、その中心部を合成樹脂の紐で結束し、表面にウレタンフォーム、不織布の切り込み面が環状に表出するようにする。【０００９】請求項第３の発明では、１ｍｍ〜１５ｍｍの厚みの周囲に切り込みがなされた不織布を少なくとも２層以上積層し、それを渦巻き状に巻き、その中心部を合成樹脂の紐で結束し、表面にウレタンフォーム、不織布の切り込み面が環状に表出するようにする。【００１０】  それぞれの概表面上は、球形状になり握りやすく、また、たわし表面は、連続的にウレタンフォーム、不織布の断面が現れる。【００１１】  それゆえに清掃面に接するたわしの表面積が通常のたわしと比べて大きくなり、また、断面のエッジが連続的に現れる為、清掃面の汚れをかき落としやすい。【００１２】また、表面に切り込み断面が多数現れ、平面的でない為、曲面や細かい部分においても清掃することが容易であり、切込みを入れていることにより、清掃後も乾きが速く衛生的である。【００１３】  清掃面の材質、或いは、汚れの度合いにより、ウレタンフォーム単体タイプとウレタンフォームと不織布とを混合したタイプ、不織布単体タイプを使い分けると効果的である。【００１４】  尚、不織布に研磨材を結合させたものを使用したり、積層させる一枚の不織布・ウレタンフォームの厚みに変化をもたせるにより、色々な状況に合うたわしを作成することが可能である。【００１５】また、積層させる不織布、ウレタンフォームの色を変えることにより、カラフルなたわしを作ることも出来る。
【発明の効果】
【００１６】以上のように本発明は、手に握り易く、曲面等にも清掃が容易なたわしであり、且つ、ユニークな形状のたわしである。
【発明を実施する為の最良の形態】
【００１７】本発明の実施の形態について、図を用いて説明するが、以下の実施形態に限定されることはない。
【００１８】不織布１は、方形状で周囲に切り込み２を入れている。切り込みは、不織布を方形状に型抜きする際に同時に行う。
【００１９】切り込みの間隔と不織布の厚み部分の断面が、たわし表面に現れてくる。不織布の厚みはたわしの形状を保持するためにも１ｍｍ〜１５ｍｍが望ましい。
【００２０】不織布１を少なくとも２枚以上重ねる。
【００２１】その後、不織布を渦巻き状に巻き、その中心部を合成樹脂の紐３で強く結束する。
【図面の簡単な説明】
【００２２】
【図１】本実施形態にかかる不織布およびウレタンフォームを示す平面図である。（パターン１）
【図２】本実施形態にかかる不織布およびウレタンフォー厶を示す平面図である。（パターン２）
【図３】本実施形態にかかる合成樹脂の紐で結束した状態を示す斜視図である。
【図４】本実施形態にかかるたわしを示す斜視図である。
【符号の説明】
【００２０】        １    不織布
２    切り込み
３    合成樹脂の紐
４    ウレタンフォーム
５    吊紐
【図１】
2005205129.tif 000003
【図２】
2005205129.tif 000004
【図３】
2005205129.tif 000005
【図４】
2005205129.tif 000006
(57)【要約】      （修正有）【課題】虚血性心疾患による不慮の事故を簡便に予知できるだけでなく健康と思われている潜在患者の病気に対する認識を高める。【解決手段】パップ剤にＩＣチップをフィルムコーティングさせたシートを組み込む事で正常心電図に対する各代表的な心電図異常を観察し心電図異常が発生したケースでは、警告する事で専門医に来院し精密検査を受け事故予防ができる。【選択図】なし【特許請求の範囲】
【請求項１】
不整脈・心筋梗塞予防と虚血性心疾患の早期発見の為にＩＣチップに典型的な心電図波形を組みこみパップ剤の様に胸部にはり（Ｖ１〜Ｖ６）の胸部伝導系の心電図異常により心疾患の予防となる簡易心電図シート。
【請求項２】
従来の携帯型に比べ、パップ剤にＩＣチップを組み込むことで（日常生活・通常の運動など）急激な心電図異常に伴う重篤な心疾患による事故を未然に防ぐことが可能となる。
【請求項３】
胸部伝導系にそったパップ剤型シートの為  日常生活に支障がなく簡便に心電図観察ができる。
【発明の詳細な説明】
【発明の詳細な説明】
【技術分野】
【０００１】本発明は、老人の心筋梗塞のみならず若年者の心房・心室細動による致死的な心疾患に関与する心電図異常を日常的に測定しながら予防観察できる簡易心電図シートである。
【背景技術】
【０００２】従来の心電図計はホルター心電図計でも測定に関し負担が大きく、マスター２段階試験・トレッドミル負荷試験・自転車エルゴメーター試験等一定の運動負荷による心電図測定が主流であった。又日常生活でのアクシデントでは予測不可能なケースもあった。【０００３】
【特許文献１】  特開  平１１−０７００８８  特開  平１１−３３２８４３  特開  平４  −３４８５２４
【発明を実施するための最良の形態】
【０００４】本発明は、普段健常人と思われる人が突然見舞われる、さまざまな心疾患を胸部に貼ったシートに組み込んだＩＣチップにより心電図異常として捕らえ事前に警告できる簡易心電図測定シートである。フィルムシート１に胸部伝導Ｖ１〜Ｖ６の測定ＩＣチップ２をフィルムコーティングしパップ剤の様に貼る。心筋からの膜電位はパップ剤の保湿により測定可能となり典型的な心電図異常（Ｐ−ＱＲＳ−Ｔ−Ｕ）パターンを感知し警告するシステムである。
【発明の効果】
【０００５】このようにすれば、最近急増している虚血性心疾患による不慮の事故を簡便に予知できるだけでなく健康と思われている潜在患者の病気に対する認識を高める効果も期待できる。
【図面の簡単な説明】
【図１】フィルムにコーティングするＩＣチップポジションの原理
【図２】基本的な心電図パターン
【図３】パップ剤とＩＣチップをフィルムコーティングする全体図
【図４】基盤となるパップ剤
【図５】Ｖ１〜Ｖ６のＩＣチップポジション
【図６】心電図の変化から推測される疾患名
【図１】
2005205143.tif 000002
【図６】
2005205143.tif 000003
2005205143.tif 000004
【手続補正書】
【提出日】平成16年6月2日(2004.6.2)
【手続補正２】
【補正対象書類名】図面
【補正対象項目名】全図
【補正方法】変更
【補正の内容】
【図１】
2005205143.tif 000005
【図２】
2005205143.tif 000006
【図３】
2005205143.tif 000007
【図４】
2005205143.tif 000008
【図５】
2005205143.tif 000009
【図６】
2005205143.tif 000010
(57)【要約】【課題】従来，写真立て等のスタンドは，木の枠にガラスを嵌め込んだ高価なものと紙製の使い切りの安価なものがあった。  木の枠にガラスを嵌め込んだスタンドは，写真を出し入れするのに，手間と時間を要し，ガラスを使用しているため，危険でもあり，さらに，重く分厚いため，持ち運びも不便だった。  また，紙製のスタンドは，写真を入れると，周囲を両面テ−プにより，糊付けしてしまうため，再利用ができず，さらに，使用中にスタンドがひなったり裏側のスタンド部分が折れ曲がったりし，華奢な作りのものが多かった。  簡単に，安全に，経済的に使用できる縦横自由に使える簡易スタンドを提供する。【解決手段】  同一サイズの厚紙，プラスチック板等からなる３枚の台紙を重ね合わせた丈夫なスタンドで，裏側の台紙を斜めに筋目を入れ，外側に曲げることにより，スタンドを支える脚として縦位置でも横位置でも使え，さらに中央部に穴を設けることによりつりさげて使えることを特徴とする。【選択図】  図４
2005205146.tif 000002
【特許請求の範囲】
【請求項１】
挟み込み式の写真立て等の裏側台紙に，写真立て等を支えるため，折り曲がり機能を設けた，縦横自由に使用することが可能な簡易スタンド
【発明の詳細な説明】
【技術分野】
【０００１】  この発明は，挟み込み式の写真立て等を使用する際，写真立て等を支えるため，裏側台紙に，折り曲がり機能を設けた，縦横自由に使用することが可能な簡易スタンドに関するものである。
【背景技術】
【０００２】  従来，写真立て等のスタンドは，木の枠にガラスを嵌め込んだ高価なものと紙製の使い切りの安価なものがあった。
【発明が解決しょうとする課題】
【０００３】  これらは，次のような問題点があった。
木の枠にガラスを嵌め込んだスタンドは，写真を出し入れするのに，手間と時間を要し，ガラスを使用しているため，危険でもあり，さらに，重く分厚いため，持ち運びも不便だった。
また，紙製のスタンドは，写真を入れると，周囲を両面テ−プにより，糊付けしてしまうため，再利用ができず，さらに，使用中にスタンドがしなったり裏側のスタンド部分が折れ曲がったりし，華奢な作りのものが多かった。
本発明は，以上のような欠点をなくし，簡単に，安全に，経済的に使用できるように考えたものである。
【課題を解決するための手段】
【０００４】  （１）同一サイズの厚紙，プラスチック板等からなる３枚の台紙を重ね合わせ丈夫なスタンドを作る。
（２）表面をプラスチックで覆うスタンドの場合は，プラスチック板と厚紙の，縦と横の二方を張り合わせ，対角線上の残る二方は張り合わせず，写真等を鋏み込めるようにする。
また，表面を厚紙による窓付きのフレ−ムとする場合は，プラスチック板を後ろにして２枚を張り合わせる。この場合，四辺のうち，上部の一辺は写真の出し入れ口として使用するため，糊付けはしない。
なお，この上部の一辺にあたる厚紙とプラスチック板は，それぞれの端を斜め切りにすることにより，写真を入れやすくする。
（３）裏側には，（２）の２枚重ねの台紙に，残る１枚の厚紙を張り合わせるが，この場合，四辺のうち，底辺の一辺と隣接する一辺は，スタンドの脚として使用するため，糊付けはしない。
この台紙には，あらかじめ斜めに筋目を入れ，外側に曲げることにより，スタンドを支える脚として使用する。
（４）この支え部分は，スタンドとして使用する時は，外側に引き出すが，通常保管する場合は，内側に戻して平らな状態にしておく。
（５）この支え部分の縦と横の中央部には，つりさげ用の穴を開けておく。
以上の構成による縦横自由に使える簡易スタンドである。
【発明を実施するための最良の形態】
【０００５】  以下，本案の実施の形態について説明する。
（１）写真等を飾る場合，縦位置のものでも横位置のものでも展示できる。
（２）表面をプラスチックで覆ったスタンドの場合は，中に入れる写真等のサイズに関係なく展示できる。
（３）写真等を壁等につりさげることもできる。
（４）通常，保管したり持ち運ぶ場合は，平らなぺちゃんこの状態にできる。
【発明の効果】
【０００６】  デジカメ，プリンタ−の普及等により，写真の愛好者が増えている。
写真は，撮る楽しみ，見る楽しみ，飾る楽しみ，人にあげる楽しみがあり，そのための器材も整っているが，簡単に，安全に，経済的に使用できるものが見当たらない。
本発明は，写真等を見る楽しみ，飾る楽しみ，人にあげる楽しみをより大きくするために考えたもので，
（１）写真等の出し入れが簡単である。
（２）丈夫で何回でも使える。
（３）しまったり持ち歩いたりする際，平らでぺちゃんこの状態になるので，扱いやすい。
（４）ガラス等を使用していないので安全である。
（５）縦位置でも横位置でも使え，さらに，吊るすこともできるので便利である。
等の特徴をもっている。
また，サイズを変えることにより，写真だけでなく，ポストカ−ド，プライスカ−ド，メニュ−カ−ド，ネ−ムプレ−トとしても使用できる。
【図面の簡単な説明】
【０００７】
【図１】  本発明の，表面をプラスチックで覆った場合の正面図である。
【図２】  本発明の，表面に窓を付けた場合の正面図である。
【図３】  本発明の背面図である。
【図４】  本発明の斜視図である。
【符号の説明】
【０００８】    １  窓
２  脚（スタンド）
【図１】
2005205146.tif 000003
【図２】
2005205146.tif 000004
【図３】
2005205146.tif 000005
【図４】
2005205146.tif 000006